(57)【要約】【課題】ＭＰＦファイル内に画像データを追加記録すること。【解決手段】ＣＰＵ１０６は、画像データの追加対象候補である候補ファイルのファイル名を表示部１１０に一覧表示して、使用者による追加対象ファイルの選択を受け付け、使用者によって選択されたＭＰＦファイルに、定点撮影によって得た画像データを追加記録する。【選択図】図１
2011188348.tif 000002
【特許請求の範囲】
【請求項１】
被写体像を撮像して画像データを取得する撮像手段と、
記憶媒体に記録されている画像ファイルに基づいて、前記画像ファイルを特定する情報を表示装置に表示させる表示制御手段と、
ユーザの操作に応じて、前記記憶媒体に記録されている画像ファイルの中から１つの画像ファイルを選択する選択手段と、
前記選択手段によって選択された画像ファイルに、前記撮像手段によって取得された画像データを追加して前記記憶媒体に記録する記録手段とを備えることを特徴とするカメラ。
【請求項２】
請求項１に記載のカメラにおいて、
前記表示制御手段は、前記記憶媒体に１つの画像ファイル内に本画像データと該本画像データを縮小した縮小画像データとのセットを複数セット含んだ複数画像ファイルと、それ以外の画像ファイルとが記録されている場合には、前記複数画像ファイルを特定する情報を選択して表示装置に表示させることを特徴とするカメラ。
【請求項３】
請求項２に記載のカメラにおいて、
前記表示制御手段は、ユーザの指示に応じて決まる前記複数画像ファイルの種類に応じて、前記複数画像ファイルを特定する情報を選択することを特徴とするカメラ。
【請求項４】
請求項１〜３のいずれか一項に記載のカメラにおいて、
前記表示制御手段は、前記記憶媒体に記録されている画像ファイルのうち、画像ファイル内への画像データの追加を禁止する追加禁止情報を含む画像ファイルを除いて、前記画像ファイルを特定する情報を表示装置に表示させることを特徴とするカメラ。
【請求項５】
記憶媒体に記録されている画像ファイルに基づいて、前記画像ファイルを特定する情報を表示装置に表示させる表示制御手段と、
ユーザの操作に応じて、前記記憶媒体に記録されている画像ファイルの中から１つの画像ファイルを選択する選択手段と、
前記選択手段によって選択された画像ファイルに、新たな画像データを追加して前記記憶媒体に記録する記録手段とを備えることを特徴とする情報処理装置。
【請求項６】
記憶媒体に記録されている画像ファイルに基づいて、前記画像ファイルを特定する情報を表示装置に表示させる表示制御手順と、
ユーザの操作に応じて、前記記憶媒体に記録されている画像ファイルの中から１つの画像ファイルを選択する選択手順と、
前記選択手順で選択した画像ファイルに、新たな画像データを追加して前記記憶媒体に記録する記録手順とをコンピュータに実行させるための情報処理プログラム。
【発明の詳細な説明】
【技術分野】
【０００１】
本発明は、カメラ、情報処理装置、および情報処理プログラムに関する。
【背景技術】
【０００２】
次のようなデジタルカメラ装置が知られている。このデジタルカメラ装置は、指定した項目に対応するフォルダ内に、撮影によって得られた画像データを追加する（例えば、特許文献１）。
【先行技術文献】
【特許文献】
【０００３】
【特許文献１】特開２００４−７２３９０号公報
【発明の概要】
【発明が解決しようとする課題】
【０００４】
しかしながら、従来のデジタルカメラ装置は、画像データを保存するためのフォルダを指定できるだけであって、取得した画像データを既存の画像ファイル内に追加して記録することは考慮されていなかった。
【課題を解決するための手段】
【０００５】
本発明によるカメラは、被写体像を撮像して画像データを取得する撮像手段と、記憶媒体に記録されている画像ファイルに基づいて、画像ファイルを特定する情報を表示装置に表示させる表示制御手段と、ユーザの操作に応じて、記憶媒体に記録されている画像ファイルの中から１つの画像ファイルを選択する選択手段と、選択手段によって選択された画像ファイルに、撮像手段によって取得された画像データを追加して記憶媒体に記録する記録手段とを備えることを特徴とする。
本発明では、表示制御手段は、記憶媒体に１つの画像ファイル内に本画像データと該本画像データを縮小した縮小画像データとのセットを複数セット含んだ複数画像ファイルと、それ以外の画像ファイルとが記録されている場合には、複数画像ファイルを特定する情報を選択して表示装置に表示させるようにしてもよい。
表示制御手段は、ユーザの指示に応じて決まる複数画像ファイルの種類に応じて、複数画像ファイルを特定する情報を選択するようにしてもよい。
表示制御手段は、記憶媒体に記録されている画像ファイルのうち、画像ファイル内への画像データの追加を禁止する追加禁止情報を含む画像ファイルを除いて、画像ファイルを特定する情報を表示装置に表示させるようにしてもよい。
本発明による情報処理装置は、記憶媒体に記録されている画像ファイルに基づいて、画像ファイルを特定する情報を表示装置に表示させる表示制御手段と、ユーザの操作に応じて、記憶媒体に記録されている画像ファイルの中から１つの画像ファイルを選択する選択手段と、選択手段によって選択された画像ファイルに、新たな画像データを追加して記憶媒体に記録する記録手段とを備えることを特徴とする。
本発明による情報処理プログラムは、記憶媒体に記録されている画像ファイルに基づいて、画像ファイルを特定する情報を表示装置に表示させる表示制御手順と、ユーザの操作に応じて、記憶媒体に記録されている画像ファイルの中から１つの画像ファイルを選択する選択手順と、選択手順で選択した画像ファイルに、新たな画像データを追加して記憶媒体に記録する記録手順とをコンピュータに実行させることを特徴とする。
【発明の効果】
【０００６】
本発明によれば、取得した画像データを画像ファイル内に追加して記録することができる。
【図面の簡単な説明】
【０００７】
【図１】カメラの一実施の形態の構成を示すブロック図である。
【図２】ＭＰＦファイルのデータ構造を模式的に示した図である。
【図３】ＭＰＦ撮影モード選択画面の具体例を示す図である。
【図４】定点撮影時の画像記録処理の流れを示すフローチャート図である。
【発明を実施するための形態】
【０００８】
図１は、本実施の形態におけるカメラの一実施の形態の構成を示すブロック図である。カメラ１００は、レンズ１０１と、撮像素子１０２と、ＡＦＥ（Ａｎａｌｏｇ  Ｆｒｏｎｔ  Ｅｎｄ）１０３と、ＡＳＩＣ１０４と、フラッシュメモリ１０５と、ＣＰＵ１０６と、操作部材１０７と、ＲＡＭ１０８と、メモリカードＩ／Ｆ１０９と、表示部１１０とを備えている。
【０００９】
レンズ１０１は、複数の光学レンズから構成されるが、図１では代表して１枚のレンズで表している。撮像素子１０２は、例えばＣＣＤやＣＭＯＳなどのイメージセンサーであり、レンズ１０１により結像した被写体像を撮像する。そして、撮像によって得られた画像信号をＡＦＥ１０３へ出力する。ＡＦＥ１０３は、撮像素子１０２から入力されるアナログ信号に対して種々の処理を施すとともに、アナログ信号をデジタル信号に変換してＡＳＩＣ１０４へ出力する。ＡＳＩＣ１０４は、入力されるデジタル信号に対して種々の画像処理、例えば補間処理、階調変換処理、輪郭強調処理、ホワイトバランス調整処理、画像圧縮処理、画像伸張処理等を施す。
【００１０】
フラッシュメモリ１０５は、不揮発性のメモリであって、ＣＰＵ１０６が実行するプログラムのデータや、プログラム実行時に読み込まれる種々のパラメータなどが記録されている。ＣＰＵ１０６は、カメラ１００全体を制御する。操作部材１０７は、使用者によって操作される種々の入力部材、例えば電源ボタン、レリーズボタン、ズームボタン、十字キー、ＯＫボタン、再生ボタン、削除ボタンなどを含んでいる。操作部材１０７は、各種入力部材からの操作信号をＣＰＵ１０６へ出力し、ＣＰＵ１０６は、入力される操作信号に従ってカメラ１００を制御する。
【００１１】
ＲＡＭ１０８は、揮発性のメモリであって、ＣＰＵがプログラム実行時にプログラムを展開するためのワークメモリとして使用されたり、データを一時的に記録するためのバッファメモリとして使用される。メモリカードＩ／Ｆ１０９は、例えば、ＳＤカード等のメモリカード１０９ａを挿入するためのメモリカードスロットを備え、メモリカードスロットに挿入されたメモリカード１０９ａからデータを読み出したり、メモリカード１０９ａへデータを書き込んだりする。
【００１２】
表示部１１０は、例えば、カメラ１００の背面に搭載された液晶モニタ（背面モニタ）であり、当該表示部１１０には、メモリカード１０９ａに記憶されている画像やカメラ１００を設定するための設定メニューなどが表示される。また、ＣＰＵ１０６は、使用者によってカメラ１００のモードが撮影モードに設定されると、撮像素子１０２から時系列で入力される画像の表示用画像データを表示部１１０に出力する。これによって表示部１１０にはスルー画が表示される。
【００１３】
本実施の形態では、ＣＰＵ１０６は、ＡＳＩＣ１０４によって画像処理が施された後の画像データに基づいて所定の画像形式、例えばＪＰＥＧ形式の本画像データ（ＪＰＥＧデータ）を生成する。また、ＣＰＵ１０６は、本画像データに基づいて、表示用の画像データ、例えば画像サイズが１８０×１２０画素のサムネイル画像データと画像サイズが６００×４００画素のＶｉｅｗサムネイル画像データとを生成する。ＣＰＵ１０６は、生成した本画像データと、サムネイル画像データ、Ｖｉｅｗサムネイル画像データとを含み、さらにヘッダ情報を付加した画像ファイル、例えばＪＰＥＧファイルを生成してメモリカードＩ／Ｆ１０９へ出力する。
【００１４】
また、本実施の形態では、ＣＰＵ１０６は、上述したＪＰＥＧファイル、すなわち１つの画像ファイル内に１つのＪＰＥＧデータが記録される画像ファイル以外に、１つの画像ファイル内に複数のＪＰＥＧデータが記録される画像ファイルも生成することができる。例えば、ＣＰＵ１０６は、連写撮影が行われた場合、定点撮影が行われた場合、パノラマ撮影が行われた場合、立体視撮影が行われた場合、またはインターバル撮影が行われた場合等、１回の撮影によって複数のＪＰＥＧデータが１組として生成される場合には、生成した複数のＪＰＥＧデータを１つの画像ファイルにまとめて記録することができる。
【００１５】
また、ＣＰＵ１０６は、上述したサムネイル画像データやＶｉｅｗサムネイル画像データとは異なる画素数のモニタ表示用画像データを生成して本画像データとともに記録することにより、１つの画像ファイル内に複数の画像データを記録することもできる。例えば、ＣＰＵ１０６は、ＶＧＡサイズ（６４０×４８０画素）のモニタ表示用画像データやＦｕｌｌ  ＨＤサイズ（１９２０×１０８０画素）のモニタ表示用画像データを生成して、画像ファイル内に含めることができる。
【００１６】
本実施の形態では、１つの画像ファイル内に１つの本画像データを記録したＪＰＥＧファイル（拡張子は「．ｊｐｇ」）に対して、１つの画像ファイル内に複数の本画像データを記録した画像ファイルをＭＰＦファイル（ＭｕｌｔｉＰｉｃｔｕｒｅＦｏｒｍａｔファイル／複数画像ファイル、拡張子は「．ｍｐｏ」）と呼ぶこととする。このＭＰＦファイルは、例えば、図２に示すように、１つの画像ファイル２ａ内にヘッダ部２ｂと画像データ部２ｃとを有している。画像データ部２ｃ内には本画像データとサムネイル画像データとのセットが複数記録され、このうちの先頭に記録されるセットの画像を先頭画像と呼ぶ。
【００１７】
また、ヘッダ部２ｂには、ＭＰＦファイルの種別を識別するためのＭＰ種別が記録される。このＭＰ種別としては、以下の種別が規格上規定されている。
（Ａ）Ｂａｓｅｌｉｎｅ  ＭＰ  主画像
（Ｂ）モニタ表示用画像  クラス１  ＶＧＡ相当
（Ｃ）モニタ表示用画像  クラス２  Ｆｕｌｌ  ＨＤ相当
（Ｄ）マルチビュー個別画像  パノラマ
（Ｅ）マルチビュー個別画像  立体視
（Ｆ）マルチビュー個別画像  マルチアングル
（Ｇ）未定義種別
【００１８】
上記ＭＰ種別のうち、「未定義種別」は、ＭＰＦファイル内に記録される画像データが（Ａ）〜（Ｆ）のいずれにも該当しない場合に設定される。ＭＰ種別として「未定義種別」を記録した場合には、さらにヘッダ部２ｂのメーカーノート部に拡張ＭＰ種別を記録することができる。例えば、連写撮影により得た複数の画像を記録したＭＰＦファイルには、拡張ＭＰ種別として「連写」を記録することができ、定点撮影により得た複数の画像を記録したＭＰＦファイルには、拡張ＭＰ種別として「定点撮影」を記録することができる。
【００１９】
本実施の形態におけるカメラ１００では、使用者は、図３に示すＭＰＦ撮影モード選択画面上で、複数の画像データをＭＰＦファイルに記録する場合の撮影モードを選択することができる。例えば、使用者は、操作部材１０７に含まれる十字キーを操作して図３に示す画面上で設定したい撮影モードにカーソル３ａを移動させ、操作部材１０７に含まれるＯＫボタンを押下して撮影モードを選択することができる。ＣＰＵ１０６は、カメラ１００の撮影モードを、ＭＰＦ撮影モード選択画面上で使用者によって選択された撮影モードに設定して、撮影モードに応じた撮影処理を行う。
【００２０】
本実施の形態では、ＣＰＵ１０６は、使用者によってＭＰＦ撮影モード選択画面上で「定点撮影」が選択されて撮影モードを定点撮影モードに設定した場合には、新規にＭＰＦファイルを作成して画像データの記録を開始する方法と、既存のＭＰＦファイルに画像データを追加記録する方法のいずれかを使用者が選択することができる。例えば、定点撮影における撮影間隔が長い場合には、過去の撮影で作成したＭＰＦファイルに画像データを追加することができると、１つの画像ファイルに定点撮影によって得た画像をまとめて記録することができるため便利である。この場合には、使用者は、既存のＭＰＦファイルに画像を追加する方法を選択することができる。
【００２１】
図４は、本実施の形態における定点撮影時の画像記録処理の流れを示すフローチャートである。図４に示す処理は、使用者によって操作部材１０７が操作されることにより、図３に示すＭＰＦ撮影モード選択画面上で撮影モードが定点撮影モードに設定されたときに起動するプログラムとして、ＣＰＵ１０６によって実行される。
【００２２】
ステップＳ１０において、ＣＰＵ１０６は、定点撮影に当たってＭＰＦファイルを新規に作成するか、既存のＭＰＦファイルを利用するかを確認するための新規作成確認画面を表示部１１０に表示する。使用者は、操作部材１０７を操作することにより、この新規作成確認画面上でＭＰＦファイルを新規に作成するか、あるいは既存のＭＰＦファイルを利用するかを選択することができる。その後、ステップＳ２０へ進み、ＣＰＵ１０６は、新規作成確認画面上で新規ファイルの作成が選択されたか否かを判断する。
【００２３】
ステップＳ２０で肯定判断した場合には、ステップＳ３０へ進み、ＣＰＵ１０６は、撮影処理を行なって画像データを取得し、ＲＡＭ１０８へ記録する。その後、ステップＳ４０へ進み、ＣＰＵ１０６は、ＲＡＭ１０８に記録した画像データの画像とともに、画像の撮り直しを行うか否かを問い合わせるためのメッセージを表示した撮り直し確認画面を表示部１１０へ表示する。使用者は、操作部材１０７を操作することにより、この撮り直し確認画面上で画像の撮り直しを行なうか、あるいはステップＳ３０で取得された画像データを記録するかを選択することができる。
【００２４】
その後、ステップＳ５０へ進み、ＣＰＵ１０６は、使用者によって撮り直し確認画面上で撮り直しが選択されたか否かを判断する。ステップＳ５０で肯定判断した場合には、ステップＳ３０へ戻り、ＣＰＵ１０６は、画像の撮り直しを行なう。これに対して、ステップＳ５０で否定判断した場合には、ステップＳ６０へ進む。ステップＳ６０では、ＣＰＵ１０６は、新たにＭＰＦファイル２ａを生成し、画像データ部２ｃ内にステップＳ３０で取得した画像データを記録する。また、ヘッダ部２ｂのＭＰ種別に「未定義種別」を記録し、ヘッダ部２ｂのメーカーノート部に拡張ＭＰ種別として「定点撮影」記録する。その後、後述するステップＳ１４０へ進む。
【００２５】
一方、ステップＳ２０で否定判断した場合には、ステップＳ７０へ進む。ステップＳ７０では、ＣＰＵ１０６は、メモリカード１０９ａ内に記録されているＭＰＦファイルの中から、定点撮影によって取得された画像データが記録されているＭＰＦファイルを検索する。本実施の形態では、既に定点撮影が終了しているＭＰＦファイルには、ヘッダ部２ｂに定点撮影終了フラグが記録されており、ＭＰＦファイル内への画像データの追加が禁止されている。よって、ＣＰＵ１０６は、ここでは、ヘッダ部２ｂに定点撮影終了フラグが設定されていないＭＰＦファイルを対象として検索を行なう。すなわち、ステップＳ７０では、ＣＰＵ１０６は、メモリカード１０９ａ内に記録されているＭＰＦファイルの中から、ヘッダ部２ｂの拡張ＭＰ種別に「定点撮影」が記録されており、かつヘッダ部２ｂに定点撮影終了フラグが設定されていないＭＰＦファイルを画像データの追加対象候補として抽出する。
【００２６】
その後、ステップＳ８０へ進み、ＣＰＵ１０６は、ステップＳ７０での検索によって抽出された候補ファイルを示す情報を表示部１１０に表示する。例えば、ＣＰＵ１０６は、抽出された候補ファイルのファイル名を表示部１１０に一覧表示する。使用者は、操作部材１０７を操作することにより、一覧表示された候補ファイルのファイル名の中から１つのファイル名を選択することで、定点撮影により取得する画像データの追加対象ファイルを選択することができる。
【００２７】
その後、ステップＳ９０へ進み、ＣＰＵ１０６は、候補ファイルの中から使用者によっていずれかのＭＰＦファイルが選択されたか否かを判断する。ステップＳ９０で肯定判断した場合には、ステップＳ１００へ進み、ＣＰＵ１０６は、撮影処理を行なって画像データを取得し、ＲＡＭ１０８へ記録する。その後、ステップＳ１１０へ進み、ＣＰＵ１０６は、ＲＡＭ１０８に記録した画像データの画像とともに、画像の撮り直しを行うか否かを問い合わせるためのメッセージを表示した撮り直し確認画面を表示部１１０へ表示する。使用者は、操作部材１０７を操作することにより、この撮り直し確認画面上で画像の撮り直しを行なうか、あるいはステップＳ１００で取得された画像データを記録するかを選択することができる。
【００２８】
その後、ステップＳ１２０へ進み、ＣＰＵ１０６は、使用者によって撮り直し確認画面上で撮り直しが選択されたか否かを判断する。ステップＳ１２０で肯定判断した場合には、ステップＳ１００へ戻り、ＣＰＵ１０６は、画像の撮り直しを行なう。これに対して、ステップＳ１２０で否定判断した場合には、ステップＳ１３０へ進む。ステップＳ１３０では、ＣＰＵ１０６は、ステップＳ９０で使用者によって選択された追加対象のＭＰＦファイルの画像データ部２ｃ内にステップＳ１００で取得した画像データを追加記録して、ステップＳ１４０へ進む。
【００２９】
ステップＳ１４０では、ＣＰＵ１０６は、ステップＳ６０で画像データを記録したＭＰＦファイル、またはステップＳ１３０で画像データを追加記録したＭＰＦファイルを対象とした定点撮影が終了したか否かを使用者に確認するための終了確認画面を表示部１１０に表示する。使用者は、該ＭＰＦファイルへの定点撮影が終了した場合には、操作部材１０７を操作して終了確認画面上で終了を選択し、以降も該ＭＰＦファイルを対象とした定点撮影を予定している場合には未終了を選択することができる。その後、ステップＳ１５０へ進む。
【００３０】
ステップＳ１５０では、ＣＰＵ１０６は、使用者によって終了確認画面上で終了が選択されたか否かを判断する。ステップＳ１５０で肯定判断した場合には、ステップＳ１６０へ進み、ＣＰＵ１０６は、ステップＳ６０で画像データを記録したＭＰＦファイル、またはステップＳ１３０で画像データを追加記録したＭＰＦファイルのヘッダ部２ｂに上述した定点撮影終了フラグを記録して処理を終了する。これに対して、ステップＳ１５０で否定判断した場合には、そのまま処理を終了する。
【００３１】
以上説明した本実施の形態によれば、以下のような作用効果を得ることができる。
（１）ＣＰＵ１０６は、画像データの追加対象候補である候補ファイルのファイル名を表示部１１０に一覧表示して、使用者による追加対象ファイルの選択を受け付け、使用者によって選択されたＭＰＦファイルに、定点撮影によって得た画像データを追加記録するようにした。これによって、定点撮影によって得た画像データを１つのＭＰＦファイルにまとめて記録することができるため、画像データの管理が容易になる。
【００３２】
（２）ＣＰＵ１０６は、メモリカード１０９ａに記録されているＪＰＥＧファイルとＭＰＦファイルのうち、ＭＰＦファイルを対象として候補ファイルの検索を行なって、候補ファイルのファイル名を表示部１１０に一覧表示するようにした。これによって、画像データの追加記録が可能なＭＰＦファイルのみを対象として検索を行なうことができる。また、検索対象をＭＰＦファイルに絞ることができるため、検索速度を高速化することができる。
【００３３】
（３）ＣＰＵ１０６は、ＭＰＦファイル内のヘッダ部２ｂに記録されているＭＰ種別と拡張ＭＰ種別とに基づいて、定点撮影によって取得された画像データを含むＭＰＦファイルを検索するようにした。これによって、画像ファイル内のヘッダ情報を用いて、容易に定点撮影によって取得された画像データを含むＭＰＦファイルを検索することができる。
【００３４】
（４）ＣＰＵ１０６は、メモリカード１０９ａに記録されているＭＰＦファイルのうち、ヘッダ部２ｂに定点撮影終了フラグが設定されていないＭＰＦファイルを画像データの追加対象候補として抽出するようにした。これによって、既に定点撮影が終了しているＭＰＦファイルを検索対象から除外することができるため、検索速度を高速化することができる。
【００３５】
―変形例―
なお、上述した実施の形態のカメラは、以下のように変形することもできる。
（１）上述した実施の形態では、図４のステップＳ８０において、ＣＰＵ１０６は、候補ファイルのファイル名を表示部１１０に一覧表示して、使用者からの画像データ追加対象ファイルの選択を受け付ける例について説明した。しかしながら、候補ファイルの表示方法はこれに限定されない。例えば、ＣＰＵ１０６は、候補ファイルの画像データ部２ｃから先頭画像の画像データを読み出してサムネイル画像を生成し、サムネイル画像を一覧表示するようにしてもよい。あるいは、１つの候補ファイルの先頭画像を全画面表示して、使用者が操作部材１０７を操作して他の画像と切り換えて確認できるようにしてもよい。あるいは、候補画像のファイル名を一覧表示しておき、使用者がその中のいずれかのファイル名を選択すると、そのファイルの先頭画像を全画面表示し、ファイル名一覧は全画面表示した画像に重畳して表示するようにしてもよい。
【００３６】
（２）上述した実施の形態では、ＣＰＵ１０６は、使用者がＭＰＦ撮影モード選択画面上で撮影モードとして定点撮影を設定したときに図４に示す処理を開始する例について説明した。しかしながら、使用者は、撮影モードの設定以外の方法によって、定点撮影の開始を指示できるようにしてもよい。例えば、使用者が画像データを追加したい画像ファイルのＭＰ種別と拡張ＭＰ種別を指定するための入力画面を用意し、ＣＰＵ１０６は、入力画面上で画像データを追加したい画像ファイルのＭＰ種別と拡張ＭＰ種別として「定点撮影」が指定されたときに図４に示す処理を開始するようにしてもよい。
【００３７】
（３）上述した実施の形態では、図４のステップＳ７０において、メモリカード１０９ａ内に記録されているＭＰＦファイルの中から、拡張ＭＰ種別に「定点撮影」が記録されており、かつ定点撮影終了フラグが設定されていないＭＰＦファイルを画像データの追加対象候補として抽出し、ステップＳ８０で抽出結果を表示する例について説明した。しかしながら、ＣＰＵ１０６は、拡張ＭＰ種別や定点撮影終了フラグにかかわらず、メモリカード１０９ａ内に記録されている全てのＭＰＦファイルを抽出して、抽出結果を表示するようにしてもよい。また、ＣＰＵ１０６は、ＭＰＦファイルに限定されず、メモリカード１０９ａ内に記録されている全ての画像ファイルを検索対象とするようにしてもよい。
【００３８】
（４）上述した実施の形態では、ステップＳ９０で使用者が追加対象ファイルを選択した後に、ステップＳ１００で撮影を行う例について説明した。しかしながら、先に撮影を行ってから、使用者が追加対象ファイルを選択するようにしてもよい。
【００３９】
（５）上述した実施の形態では、ＣＰＵ１０６は、使用者がＭＰＦ撮影モード選択画面上で撮影モードとして定点撮影を設定したときに図４に示す処理を開始する例について説明した。しかしながら、ＣＰＵ１０６は、メモリカード１０９ａに記録されているＭＰＦファイルを対象として、次回の定点撮影のタイミングを予想し、次回の定点撮影のタイミングが迫っているＭＰＦファイルや次回の定点撮影のタイミングが過ぎてしまっているＭＰＦファイルがある場合には、使用者がカメラ１００の電源をオンしたときにアラームを出力するようにしてもよい。
【００４０】
例えば、ＣＰＵ１０６は、メモリカード１０９ａに記録されているＭＰＦファイルの中から拡張ＭＰ種別に「定点撮影」が記録されており、かつ定点撮影終了フラグが設定されていないＭＰＦファイルを特定する。そして、特定したＭＰＦファイルの画像データ部２ｃに記録されている画像データのうち、前回の撮影で得た画像データと前々回の撮影で得た画像ファイルとの撮影時間の差を算出する。そして、前回の撮影からの経過時間と算出した時間差との差が所定以内の場合には、次回の定点撮影のタイミングが迫っていることを通知するためのアラームを出力すればよい。あるいは、前回の撮影からの経過時間が算出した時間差よりも大きい場合には、次回の定点撮影のタイミングが過ぎてしまっていることを通知するためのアラームを出力すればよい。
【００４１】
（６）上述した実施の形態では、定点撮影を行う際に、撮影した画像データを新規に作成したＭＰＦファイルに記録したり、既存のＭＰＦファイルに追加記録する例について説明した。しかしながら、定点撮影以外の場合にも本発明は適用可能である。
【００４２】
（７）上述した実施の形態では、本発明をカメラ１００に適用する例について説明した。しかしながら、画像ファイル内に画像データを追加記録することができる他の機器、例えばパソコンや携帯情報端末等にも本発明は適用可能である。
【００４３】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００４４】
１００  カメラ、１０１  レンズ、１０２  撮像素子、１０３  ＡＦＥ、１０４  ＡＳＩＣ、１０５  フラッシュメモリ、１０６  ＣＰＵ、１０７  操作部材、１０８  ＲＡＭ、１０９  メモリカードＩ／Ｆ、１０９ａ  メモリカード、１１０  表示部
【図１】
2011188348.tif 000003
【図２】
2011188348.tif 000004
【図３】
2011188348.tif 000005
【図４】
2011188348.tif 000006